(57)【要約】【課題】第１には、長尺物の下端部の振れを簡単かつ確実に防止でき、第２には、昇降アームの長手方向の長さや幅を小さくして全体としてコンパクトな長尺物昇降装置を提供する。【解決手段】ワイヤーロープ１１と、上部アーム１２と、ワイヤ受けバンド１３と、下部アーム１４と、ウインチ１５と、ガイドロープ１６と、昇降アーム１７とを備え、下部アーム１４は、支柱の地上作業可能な高さ部位に一端側が固定された下部アーム本体と、その下部アーム本体に基端が回動可能に連結され、閉じられた際に当該下部アーム本体との間で消防ホース等の長尺物３の下端を挟む開閉アーム１４ｆと、下部アーム本体に対し開閉アーム１４ｆが閉じられた際、開閉アーム１４ｆを下部アーム本体にロックするロック手段１４ｇとを備える。【選択図】図１
2018187144.tif 000002
【特許請求の範囲】
【請求項１】
消防ホース等の長尺物を昇降させて乾燥させる長尺物昇降装置であって、
立設した１本の支柱の上端部に一端側が固定された上部アームと、
前記上部アームより所定間隔だけ下方に離れた位置に設けられたワイヤ受けバンドと、
前記支柱の地上作業可能な高さ部位に一端側が固定され、前記長尺物の振れを防止する下部アームと、
前記支柱の地上作業可能な高さ部位に設けられ、ワイヤーロープの巻上げ及び巻下げを行うウインチと、
前記上部アームの他端側と前記下部アームの他端側とに張り渡されたガイドロープと、
前記上部アームの中間に配設された第１滑車と、
長尺物を吊り下げるハンガーが設けられ、支柱側端部には前記ワイヤーロープを通すワイヤーロープ用ガイドが設けられている一方、その反対側端部には前記ガイドロープを通すガイドロープ用ガイドが設けられた昇降アームとを備え、
前記ウインチから繰り出された前記ワイヤーロープは前記ワイヤ受けバンドと、前記第１滑車を介して前記昇降アームに連結され、前記ウインチによるワイヤーロープの巻上げ及び巻下げにより前記昇降アームはその両端部のワイヤーロープ用ガイドおよびガイドロープ用ガイドにより案内されながら昇降するように構成され、
前記下部アームは、
前記支柱の地上作業可能な高さ部位に一端側が固定された下部アーム本体と、
その下部アーム本体に基端が回動可能に連結され、閉じられた際に当該下部アーム本体との間で前記長尺物の下端を挟む開閉アームと、
前記下部アーム本体に対し前記開閉アームが閉じられた際、前記開閉アームを前記下部アーム本体にロックするロック手段とを備えることを特徴とする長尺物昇降装置。
【請求項２】
請求項１記載の長尺物昇降装置において、
前記ロック手段は、
前記下部アーム本体における前記開閉アームと対向する側面に取り付けられ、先端に被掛止部が設けられた被掛止板と、
前記開閉アームの先端側に設けられ、当該開閉アームが閉じられた際、前記被掛止板が挿入され、前記被掛止部を前記開閉アーム側に露出させる被掛止部露出孔と、
前記開閉アームの先端側に設けられたカンヌキ金具取付け板と、
前記カンヌキ金具取付け板に当該開閉アームの長手方向にスライド可能に支持され、先端には前記被掛止部露出孔から前記開閉アーム側に露出する前記被掛止板の被掛止部に掛止する掛止片が設けられている一方、後端には抜止め部が設けられたカンヌキ金具とを有することを特徴とする長尺物昇降装置。
【請求項３】
請求項１または請求項２に記載の長尺物昇降装置において、
前記昇降アームの長手方向の中央にアイボルトが設けられ、
前記ウインチから繰り出された前記ワイヤーロープは前記ワイヤ受けバンドと、前記第１滑車を介して前記昇降アームの中央に設けられたアイボルトに連結されることを特徴とする長尺物昇降装置。
【請求項４】
請求項１〜請求項３のいずれか一の請求項に記載の長尺物昇降装置において、
前記ハンガーの長手方向は、前記昇降アームの長手方向に対し直交するように当該昇降アームに設けられていることを特徴とする長尺物昇降装置。
【請求項５】
請求項４に記載の長尺物昇降装置において、
前記ハンガーは、前記昇降アームの長手方向に所定間隔で複数個設けられており、
前記長尺物を吊るすほぼ直線形状の長尺物支持部を有すると共に、前記長尺物をその長尺物支持部に側方から掛けることができるように開口部を有するフック形状に形成され、
前記複数のハンガーは、それらの開口部が前記昇降アームの長手方向の中央に対し点対称となるように当該昇降アームの左右に設けられていることを特徴とする長尺物昇降装置。
【発明の詳細な説明】
【技術分野】
【０００１】
本発明は、消防ホース等の長尺物を昇降させて乾燥させたり、垂れ幕等の長尺物を昇降させる長尺物昇降装置に関する。
【背景技術】
【０００２】
消防ホース等の長尺物を昇降させて乾燥させたり、垂れ幕等を昇降させる長尺物昇降装置として、例えば、一本の支柱および一台のウインチで消防ホースを昇降させたり（例えば、特許文献１，２参照。）、二本の支柱および二台のウインチで消防ホースを昇降させる装置が提案されている（例えば、特許文献３参照。）。
【先行技術文献】
【特許文献】
【０００３】
【特許文献１】特許第４４２１９０８号公報
【特許文献２】特開２０１１−２３５０６７号公報
【特許文献３】特許第２８４０５７２号公報
【発明の概要】
【発明が解決しようとする課題】
【０００４】
しかし、上記特許文献１，３のホース乾燥装置では、共に２本のワイヤーロープで昇降アームを昇降させる構造であるため、コストがかかるという問題がある。
【０００５】
また、上記特許文献１，３のホース乾燥装置は、共に下部アームにより消防ホースの下端部を収納して振れを防止する機能を有するものの、消防ホースの下端部を持ち上げて下部アームに収納する手間が必要であり、手間がかかるという問題もある。
【０００６】
また、上記特許文献２のホース乾燥装置では、一本の支柱および一台のウインチで消防ホースを昇降させているが、ワイヤーロープは、上部アームに取り付けた上部滑車と、地面に固定した下部滑車との間を、ウインチを介しエンドレス状に張り吊るしているため、ワイヤーロープの長さが長くなり、構造が複雑になるという問題がある。
【０００７】
また、上記特許文献２のホース乾燥装置では、下部アームにより消防ホースの下端部を収納して振れを防止する機能は設けられていない。
【０００８】
そこで、本発明は以上の問題点に着目してなされたもので、第１には、消防ホース等の長尺物の下端部の振れを簡単かつ確実に防止でき、第２には、昇降アームの長手方向の長さや幅を小さくして全体としてコンパクトな長尺物昇降装置を提供することを目的とする。
【課題を解決するための手段】
【０００９】
上記課題を解決するため、本発明に係る長尺物昇降装置は、消防ホース等の長尺物を昇降させて乾燥させる長尺物昇降装置であって、立設した１本の支柱の上端部に一端側が固定された上部アームと、前記上部アームより所定間隔だけ下方に離れた位置に設けられたワイヤ受けバンドと、前記支柱の地上作業可能な高さ部位に一端側が固定され、前記長尺物の振れを防止する下部アームと、前記支柱の地上作業可能な高さ部位に設けられ、ワイヤーロープの巻上げ及び巻下げを行うウインチと、前記上部アームの他端側と前記下部アームの他端側とに張り渡されたガイドロープと、前記上部アームの中間に配設された第１滑車と、長尺物を吊り下げるハンガーが設けられ、支柱側端部には前記ワイヤーロープを通すワイヤーロープ用ガイドが設けられている一方、その反対側端部には前記ガイドロープを通すガイドロープ用ガイドが設けられた昇降アームとを備え、前記ウインチから繰り出された前記ワイヤーロープは前記ワイヤ受けバンドと、前記第１滑車を介して前記昇降アームに連結され、前記ウインチによるワイヤーロープの巻上げ及び巻下げにより前記昇降アームはその両端部のワイヤーロープ用ガイドおよびガイドロープ用ガイドにより案内されながら昇降するように構成され、前記下部アームは、前記支柱の地上作業可能な高さ部位に一端側が固定された下部アーム本体と、その下部アーム本体に基端が回動可能に連結され、閉じられた際に当該下部アーム本体との間で前記長尺物の下端を挟む開閉アームと、前記下部アーム本体に対し前記開閉アームが閉じられた際、前記開閉アームを前記下部アーム本体にロックするロック手段とを備えることを第１の特徴とする。
また、本発明に係る長尺物昇降装置は、前記ロック手段は、前記下部アーム本体における前記開閉アームと対向する側面に取り付けられ、先端に被掛止部が設けられた被掛止板と、前記開閉アームの先端側に設けられ、当該開閉アームが閉じられた際、前記被掛止板が挿入され、前記被掛止部を前記開閉アーム側に露出させる被掛止部露出孔と、前記開閉アームの先端側に設けられたカンヌキ金具取付け板と、前記カンヌキ金具取付け板に当該開閉アームの長手方向にスライド可能に支持され、先端には前記被掛止部露出孔から前記開閉アーム側に露出する前記被掛止板の被掛止部に掛止する掛止片が設けられている一方、後端には抜止め部が設けられたカンヌキ金具とを有することを第２の特徴とする。
また、本発明に係る長尺物昇降装置は、前記昇降アームの長手方向の中央にアイボルトが設けられ、前記ウインチから繰り出された前記ワイヤーロープは前記ワイヤ受けバンドと、前記第１滑車を介して前記昇降アームの中央に設けられたアイボルトに連結されることを第３の特徴とする。
また、本発明に係る長尺物昇降装置は、前記ハンガーの長手方向は、前記昇降アームの長手方向に対し直交するように当該昇降アームに設けられていることを第４の特徴とする。
また、本発明に係る長尺物昇降装置は、前記ハンガーは、前記昇降アームの長手方向に所定間隔で複数個設けられており、前記長尺物を吊るすほぼ直線形状の長尺物支持部を有すると共に、前記長尺物をその長尺物支持部に側方から掛けることができるように開口部を有するフック形状に形成され、前記複数のハンガーは、それらの開口部が前記昇降アームの長手方向の中央に対し点対称となるように当該昇降アームの左右に設けられていることを第５の特徴とする。
【発明の効果】
【００１０】
本発明に係る長尺物昇降装置では、長尺物の振れを防止する下部アームは、支柱の地上作業可能な高さ部位に一端側が固定された下部アーム本体と、その下部アーム本体に基端が回動可能に連結され、閉じられた際に当該下部アーム本体との間で長尺物の下端を挟む開閉アームと、開閉アームを下部アーム本体にロックするロック手段とを備えるため、開閉アームを下部アーム本体に対し開閉して消防ホースの下端部を収容ないしは挟み、開閉アームを下部アーム本体にロックすることにより、長尺物の下端部の振れを簡単かつ確実に防止できる。
【図面の簡単な説明】
【００１１】
【図１】（ａ），（ｂ）それぞれ、本発明に係る実施形態の長尺物昇降装置を支柱にセットした状態の斜視図、正面図である。
【図２】（ａ），（ｂ）それぞれ、図１におけるＡ部分の拡大正面図、Ｂ部分の拡大正面図である。
【図３】実施形態１の長尺物昇降装置を構成する上部アームの斜視図である。
【図４】（ａ），（ｂ）それぞれ、実施形態１の長尺物昇降装置を構成する上部アームの平面図、正面図である。
【図５】実施形態１の長尺物昇降装置を構成するワイヤ受けバンドの斜視図である。
【図６】（ａ）〜（ｃ）それぞれ、実施形態１の長尺物昇降装置を構成するワイヤ受けバンドの平面図、正面図、左側面図である。
【図７】実施形態１の長尺物昇降装置を構成する下部アームおよびウインチの締付金具の斜視図である。
【図８】実施形態１の長尺物昇降装置を構成する下部アームおよびウインチの締付金具の平面図である。
【図９】実施形態１の長尺物昇降装置を構成する下部アームおよびウインチの締付金具の正面図である。
【図１０】実施形態１の長尺物昇降装置を構成するロック手段等の詳細な構造を示す部分拡大正面図である。
【図１１】実施形態１の長尺物昇降装置のロック手段を構成する被掛止板の被掛止部等の詳細な構成を示す部分拡大図である。
【図１２】（ａ）〜（ｄ）それぞれ実施形態１の長尺物昇降装置のロック手段を構成するカンヌキ金具の詳細な構成を示す斜視図、平面図、抜止め輪部の正面図、その側面図である。
【図１３】（ａ）〜（ｃ）それぞれ実施形態１の長尺物昇降装置のロック手段による否ロック（否掛止）状態からロック（掛止）状態になるまでのロック手段の状態を示す部分斜視図である。
【図１４】（ａ）〜（ｃ）それぞれ実施形態１の長尺物昇降装置のロック手段による否ロック（否掛止）状態からロック（掛止）状態になるまでのロック手段の状態を示す部分正面図である。
【図１５】実施形態１の長尺物昇降装置を構成する昇降アームの斜視図である。
【図１６】（ａ），（ｂ）それぞれ、実施形態１の長尺物昇降装置を構成する昇降アームの平面図、正面図である。
【図１７】（ａ），（ｂ）それぞれ、実施形態１の長尺物昇降装置を構成する昇降アームの右側面図、図１２（ａ）におけるＣ部分の部分拡大断面図である。
【図１８】実施形態１の長尺物昇降装置を構成する中間振止めアームの斜視図である。
【図１９】（ａ）〜（ｃ）それぞれ、実施形態１の長尺物昇降装置を構成する中間振止めアームの平面図、正面図、左側面図である。
【発明を実施するための形態】
【００１２】
以下、本発明に係る実施形態の長尺物昇降装置について図面を参照して説明する。尚、下記に説明する実施形態はあくまで本発明の一例であり、本発明は下記の実施形態に限定されるものではなく、本発明の技術思想の範囲内で適宜変更可能である。また、下記の実施形態の説明では、長尺物として消防ホースを一例に説明するが、本発明では、昇降させる長尺物は消防ホースに限定されるものでなく、垂れ幕や、国旗、ノボリ、広告等でも良い。
【００１３】
実施形態１の長尺物昇降装置１は、図１（ａ），（ｂ）に示すように、地面より立設した１本の支柱２に装着して、長尺物である消防ホース３を昇降させて乾燥させるもので、上部アーム１２と、ワイヤ受けバンド１３と、下部アーム１４と、ウインチ１５と、ガイドロープ１６と、昇降アーム１７と、中間振止めアーム１８等を備えて構成される。
【００１４】
上部アーム１２は、図１（ａ），（ｂ）および図２（ａ）、図３、図４（ａ），（ｂ）に示すように、支柱２上端部に腕金である上部アーム本体１２ａの一端側が周知の一対の締付金具１２ｂ，１２ｃやボルト１２ｄおよびナット１２ｅ等により固定されるもので、上部アーム本体１２ａの長手方向の中央には第１滑車１２ｆが設けられている。
【００１５】
尚、図４（ａ）において、一対の締付金具１２ｂ，１２ｃの内、上部アーム本体１２ａが固定されていない側の締付金具１２ｃは、支柱２の径に合せて伸縮出来るように構成されており、その長さはボルト１２ｃ１およびナット１２ｃ２によって調整する。
【００１６】
ワイヤ受けバンド１３は、図１（ａ），（ｂ）に示すように上部アーム１２より所定間隔だけ下方に離れた支柱２に固定されてワイヤーロープ１１の方向を上部アーム１２中央の第１滑車１２ｆの方向へ曲げて中継するもので、図５および図６（ａ）〜（ｃ）に示すように、周知の一対のワイヤ受けバンド金具１３ａ，１３ｂにより第１カラー１３ｃおよび第２カラー１３ｄを挟持すると共に、第２カラー１３ｄに第２滑車１３ｅを回転可能に設け、ボルト１３ｆ１〜１３ｆ３およびナット１３ｇ１〜１３ｇ３等により固定される。
【００１７】
尚、図６（ａ）〜（ｃ）において、一対のワイヤ受けバンド金具１３ａ，１３ｂは、それぞれ、支柱２の径に合せて伸縮出来るように構成されており、その長さはボルト１３ｈおよびナット１３ｉによって調整する。
【００１８】
下部アーム１４は、図１（ａ），（ｂ）に示すように支柱２の地上作業可能な高さ部位に固定され、消防ホース３の下端部の振れを防止するもので、図７〜図１０に示すように、周知の一対の締付金具１４ｂ，１４ｃやボルト１４ｄおよびナット１４ｅ等により支柱２の地上作業可能な高さ部位に一端側が固定された下部アーム本体１４ａと、その下部アーム本体１４ａに中継金具１４ｉを介して基端側の回転軸１４ｆ２により回動（開閉）可能に連結され、当該下部アーム本体１４ａとの間で所定の間隔を空けた状態で閉じられた際に消防ホース３の下端を挟む開閉アーム１４ｆと、下部アーム本体１４ａに対し開閉アーム１４ｆが閉じられた際、開閉アーム１４ｆを下部アーム本体１４ａにロックするロック手段１４ｇと、アイナット１４ｈ等を備える。
【００１９】
ここで、図７や図８の実線で示すように下部アーム本体１４ａと開閉アーム１４ｆとを閉じた際の所定の間隔は、折り畳まれた消防ホース３の素材の厚み等を考慮して、消防ホース３を挟持ないしは収容して消防ホース３の振れを防止できる間隔とする。本実施形態では、消防ホース３がズレないよう確実に挟持し、かつ、消防ホース３先端に装着された口金が抜けないよう口金の外径より小さく、例えば、約２２〜２４ｍｍ程度とする。ただし、本発明では、下部アーム本体１４ａと開閉アーム１４ｆとの間の所定の間隔は、この値に限定されるものではなない。
【００２０】
下部アーム本体１４ａの先端側には、図８〜図１１等に示すように、開閉アーム１４ｆと対向する横側面に、後述するロック手段１４ｇを構成する被掛止板１４ｇ１が溶接して設けられている一方、上側面にアイナット１４ｈが挿入されるアイナット挿通孔１４ａ２が設けられている。
【００２１】
一方、開閉アーム１４ｆの先端側には、図８〜図１１等に示すように、ロック手段１４ｇの被掛止板１４ｇ１以外の構成要素である被掛止部露出孔１４ｇ２やカンヌキ金具取付け板１４ｇ３、カンヌキ金具１４ｇ４等が設けられている一方、開閉アーム１４ｆの基端側には、回転軸１４ｆ２が挿入される回転軸挿通孔１４ｆ３が設けられている。
【００２２】
ロック手段１４ｇは、図８〜図１１等に示すように、被掛止板１４ｇ１と、被掛止部露出孔１４ｇ２と、カンヌキ金具取付け板１４ｇ３と、カンヌキ金具１４ｇ４と、抜止め輪部１４ｇ５等から構成される。
【００２３】
被掛止板１４ｇ１は、下部アーム本体１４ａの先端側に設けられ、当該開閉アーム１４ｆが閉じられた際、開閉アーム１４ｆに形成された被掛止部露出孔１４ｇ２から被掛止部１４ｇ１１を露出させて、カンヌキ金具１４ｇ４に掛止される。
【００２４】
被掛止部１４ｇ１１は、図１１等に示すように、奥に行くに従い幅が広がる奥拡凹形状に構成されており、ロック手段１４ｇを構成する後述するカンヌキ金具１４ｇ４の丸棒部１４ｇ４１の外径よりも大で、丸棒部１４ｇ４１がスライド自在に通る奥拡部１４ｇ１２と、丸棒部１４ｇ４１の外径よりも幅が狭く、カンヌキ金具１４ｇ４の丸棒部１４ｇ４１が通らず、丸棒部１４ｇ４１先端に設けられた掛止片１４ｇ４２のみを通す掛止片通し部１４ｇ１３とを有する。
【００２５】
被掛止部露出孔１４ｇ２は、図１１等に示すように、開閉アーム１４ｆの先端側に形成され、開閉アーム１４ｆが閉められた際、被掛止板１４ｇ１が挿入され、被掛止板１４ｇ１先端の被掛止部１４ｇ１１を開閉アーム１４ｆ側に露出させる。
【００２６】
カンヌキ金具取付け板１４ｇ３は、図８〜図１０等に示すように、開閉アーム１４ｆの先端側に設けられ、開閉アーム１４ｆの長手方向にカンヌキ金具１４ｇ４をスライド可能に支持するものである。
【００２７】
カンヌキ金具１４ｇ４は、図１２（ａ），（ｂ）等に示すように、カンヌキ金具取付け板１４ｇ３にスライド可能に支持される丸棒部１４ｇ４１と、丸棒部１４ｇ４１の先端側に設けられ被掛止部露出孔１４ｇ２から開閉アーム１４ｆ側に露出する被掛止板１４ｇ１の被掛止部１４ｇ１１に掛止する掛止片１４ｇ４２と、丸棒部１４ｇ４１の後端側に設けられ抜止め輪部１４ｇ５が嵌る抜止め輪部用溝部１４ｇ４３とを有する。
【００２８】
抜止め輪部１４ｇ５は、図１２（ｃ），（ｄ）等に示すように、Ｃリングで構成されている。
【００２９】
そのため、図１３（ａ）や図１４（ａ）に示すように開閉アーム１４ｆを閉じてロックする場合には、図１３（ｂ）や図１４（ｂ）に示すように下部アーム本体１４ａ先端に溶接された被掛止板１４ｇ１が開閉アーム１４ｆ先端に形成された被掛止部露出孔１４ｇ２に挿入し、被掛止板１４ｇ１の被掛止部１４ｇ１１を開閉アーム１４ｆ側に露出させ、被掛止部１４ｇ１１の奥拡部１４ｇ１２にカンヌキ金具１４ｇ４の丸棒部１４ｇ４１を通す。
【００３０】
すると、被掛止板１４ｇ１の被掛止部１４ｇ１１には、奥拡部１４ｇ１２に連続して丸棒部１４ｇ４１先端に設けられた掛止片１４ｇ４２のみを通す掛止片通し部１４ｇ１３が設けられているので、カンヌキ金具１４ｇ４先端の水平状態の掛止片１４ｇ４２が被掛止板１４ｇ１の掛止片通し部１４ｇ１３を通過して、カンヌキ金具１４ｇ４先端の掛止片１４ｇ４２が被掛止板１４ｇ１の反対側に移動することができる。
【００３１】
そして、図１３（ｂ）や図１４（ｂ）に示すようにカンヌキ金具１４ｇ４先端の掛止片１４ｇ４２が被掛止板１４ｇ１の掛止片通し部１４ｇ１３を通過した後、図１３（ｃ）や図１４（ｃ）に示すようにカンヌキ金具１４ｇ４の丸棒部１４ｇ４１を下方へ９０度回転させると、カンヌキ金具１４ｇ４先端の掛止片１４ｇ４２が下方を向き、掛止片１４ｇ４２が被掛止部１４ｇ１１の奥拡部１４ｇ１２周縁に当接するので、カンヌキ金具１４ｇ４を被掛止板１４ｇ１に掛止、すなわちロックすることができる。
【００３２】
その結果、風によって消防ホース３が振れて、消防ホース３が下部アーム１４の開閉アーム１４ｆに何度も当たる等して下部アーム本体１４ａや開閉アーム１４ｆ等が振動し、開閉アーム１４ｆが開こうとしても、カンヌキ金具１４ｇ４先端の掛止片１４ｇ４２はその自重によって常時下方を向き掛止状態を維持するので、開閉アーム１４ｆが開いてしまうことを確実に防止することができる。
【００３３】
尚、開閉アーム１４ｆを開ける場合には、カンヌキ金具１４ｇ４の丸棒部１４ｇ４１を上方へ９０度回転させて図１３（ｂ）や図１４（ｂ）に示すように掛止片１４ｇ４２を水平状態にし、その丸棒部１４ｇ４１を開閉アーム１４ｆの基端側に引いて、丸棒部１４ｇ４１先端の掛止片１４ｇ４２が掛止片通し部１４ｇ１３を通り抜けると、カンヌキ金具１４ｇ４が被掛止板１４ｇ１の被掛止部１４ｇ１１から外れるので、開閉アーム１４ｆを開けることが可能となる。
【００３４】
アイナット１４ｈは、ガイドロープ１６の下端部が連結されるもので、図７〜図１０に示すように、下部アーム本体１４ａの先端部であって被掛止板１４ｇ１より支柱２側に設けられている。
【００３５】
ウインチ１５は、図１（ａ），（ｂ）に示すように支柱２の地上作業可能な高さ部位、ここでは下部アーム１４よりも若干高い位置に設けられ、ハンドル１５ａの回転によってワイヤーロープ１１の巻上げ及び巻下げを行う周知のもので、図７および図９等に示すように、上下の２箇所を周知の一対の締付金具１５ｂ，１５ｂやボルト１５ｃおよびナット１５ｄ等によりウインチ取付アダプタ１５ｅを介し取り付けられる。尚、本発明では、手動式のウインチに限らず、モーター等によってワイヤーロープ１１の巻上げ及び巻下げを行うように構成しても勿論良い。
【００３６】
ガイドロープ１６は、図１（ａ），（ｂ）や図２（ｂ）に示すように上端部は上部アーム１２の先端部に連結される一方、下端部はターンバックル１６ａを介して下部アーム１４の先端部のアイナット１４ｈに連結され、上部アーム１２と下部アーム１４との間に張り渡される。
【００３７】
昇降アーム１７は、図１５や図１６（ａ），（ｂ）等に示すように、昇降アーム本体１７ａの長手方向に所定間隔を空けて消防ホース３を吊り下げる複数のハンガー１７ｂを設けたもので、支柱２側端部の側面にはワイヤーロープ１１を通すワイヤーロープ用ガイドである第１フックアイボルト１７ｃが設けられている一方、その反対側端部の側面には、図１５や図１６（ａ），（ｂ）、図１７（ｂ）等に示すように、ガイドロープ１６を通すガイドロープ用ガイドである第２フックアイボルト１７ｄが設けられ、さらに、長手方向中央には、図１５や図１６（ａ），（ｂ）等に示すように、ワイヤーロープ１１の先端部が連結される第３フックアイボルト１７ｅが設けられている。
【００３８】
ここで、複数（本実施形態では、例えば、６個とする。）のハンガー１７ｂは、昇降アーム１７の長手方向に所定間隔で複数個設けられており、また、図１５および図１６（ａ），（ｂ）に示すように、ハンガー１７ｂの長手方向が昇降アーム１７の長手方向に対し直交するように当該昇降アーム１７に設けられている。つまり、ハンガー１７ｂに掛けられた消防ホース３は、ハンガー１７ｂの位置または高さでは、折畳まれた消防ホース３の折畳み方向が昇降アーム１７の長手方向にほぼ直交することになる。
【００３９】
そのため、昇降アーム１７の長さが短い場合でも、より多数の消防ホース３を吊下げることができる。
【００４０】
ただし、実施形態の長尺物昇降装置１では、消防ホース３の下端部の振止めを行う下部アーム１４では、下部アーム本体１４ａと開閉アーム１４ｆとの間で挟むような形で消防ホース３の下端部の振止めを行っているため、下部アーム１４および昇降アーム１７の長手方向に対し平行に消防ホース３が折畳まれるように左右から押さえている。
【００４１】
そのため、実施形態の長尺物昇降装置１では、消防ホース３の上部では消防ホース３を下部アーム１４および昇降アーム１７の長手方向に対し直交するように押潰して吊るす一方、消防ホース３の下部では消防ホース３を下部アーム１４および昇降アーム１７の長手方向に対し平行になるように押さえるため、昇降アーム１７で吊上げた消防ホース３内に隙間（空間）が出来易くなり、消防ホース３をより効率良く乾燥させることが可能となる。
【００４２】
ハンガー１７ｂは、消防ホース３を支持するほぼ直線形状の消防ホース支持部１７ｂ１を有すると共に、消防ホース３をその消防ホース支持部１７ｂ１に側方から掛けることができるように開口部１７ｂ２を有するフック形状に形成されている。
【００４３】
そして、実施形態の長尺物昇降装置１では、図１７（ａ）に示すように、複数のハンガー１７ｂは、それらの開口部１７ｂ２が昇降アーム１７の長手方向の中央に対し点対称となるように昇降アーム１７の左右に設けられている。
【００４４】
具体的には、昇降アーム１７の中央に設けた第３フックアイボルト１７ｅに対し支柱２側、すなわちワイヤーロープ１１側に設けられた３個のハンガー１７ｂは、それらの開口部１７ｂ２が図１６（ａ）上、昇降アーム１７の上側に来るように取り付けられる一方、昇降アーム１７の中央に設けた第３フックアイボルト１７ｅに対し支柱２の反対側、すなわちガイドロープ１６側に設けられた３個のハンガー１７ｂは、それらの開口部１７ｂ２が図１６（ａ）上、昇降アーム１７の下側に来るように取り付けられる。
【００４５】
そのため、複数のハンガー１７ｂには、昇降アーム１７の中央に設けた第３フックアイボルト１７ｅに対し前後で左右逆方向から消防ホース３が吊下げられるので、昇降アーム１７全体に対しバランス良く複数の消防ホース３を吊下げることができる。
【００４６】
中間振止めアーム１８は、図１８および図１９（ａ）〜（ｃ）に示すように、所定間隔を空けて設けた一対の中間振止めアーム本体１８ａ，１８ａと、その中間振止めアーム本体１８ａ，１８ａの先端部同士を連結する中間振止めアーム連結板１８ｂとにより平面視、コ字形状に構成されており、中間振止めアーム本体１８ａ，１８ａの基部側は、周知の締結バンド１８ｃや締付用フックボルト１８ｄ等により、図１（ａ），（ｂ）に示すように、上部アーム１２と下部アーム１４との中間であって、支柱２における地上から１０ｍ程の高さに固定される。
【００４７】
ここで、一対の中間振止めアーム本体１８ａ，１８ａは、図１８や図１９（ｃ）等に示すように、断面コ字形状のチャンネル材を使用しており、その開口部が外側を向くように中間振止めアーム連結板１８ｂおよび締結バンド１８ｃの両側に連結されている。
【００４８】
そのため、中間振止めアーム１８の一対の中間振止めアーム本体１８ａ，１８ａは、消防ホース３の中間部に当たって振止めを行うが、一対の中間振止めアーム本体１８ａ，１８ａは断面コ字形状のチャンネル材の側面が消防ホース３の中間部に当たるため、昇降アーム１７に吊下げた消防ホース３が風で揺れて振れたとしても、消防ホース３を傷付けることを防止できる。
【００４９】
尚、ウインチ１５から繰り出されたワイヤーロープ１１は、図１（ａ），（ｂ）に示すように中間振止めアーム１８を通り、ワイヤ受けバンド１３先端に設けられた第２滑車１３ｅと、上部アーム１２の下側面の長手方向中央に設けられた第１滑車１２ｆとを介して昇降アーム１７の長手方向中央に設けられた後述する第３フックアイボルト１７ｅに連結され、ウインチ１５によるワイヤーロープ１１の巻上げ及び巻下げにより昇降アーム１７を昇降する。
【００５０】
＜実施形態の長尺物昇降装置の効果＞
従って、実施形態の長尺物昇降装置１によれば、消防ホース３の振れを防止する下部アーム１４は、支柱２の地上作業可能な高さ部位に一端側が固定された下部アーム本体１４ａと、その下部アーム本体１４ａに基端が回動可能に連結され、閉じられた際に下部アーム本体１４ａとの間で消防ホース３の下端を挟む開閉アーム１４ｆと、開閉アーム１４ｆを下部アーム本体１４ａにロックするロック手段１４ｇとを備えるため、開閉アーム１４ｆを下部アーム本体１４ａに対し開閉して消防ホース３の下端部を収容ないしは挟み、開閉アーム１４ｆを下部アーム本体にロックすることにより、消防ホース３の下端部の振れを簡単かつ確実に防止できる。
【００５１】
また、実施形態の長尺物昇降装置１は、ロック手段１４ｇは、下部アーム本体１４ａにおける開閉アーム１４ｆと対向する側面に取り付けられ、先端に被掛止部１４ｇ１１が設けられた被掛止板１４ｇ１と、開閉アーム１４ｆの先端側に設けられ、当該開閉アーム１４ｆが閉じられた際、被掛止板１４ｇ１が挿入され、被掛止板１４ｇ１先端の被掛止部１４ｇ１１を開閉アーム１４ｆ側に露出させる被掛止部露出孔１４ｇ２と、開閉アーム１４ｆの先端側に設けられたカンヌキ金具取付け板１４ｇ３と、カンヌキ金具取付け板１４ｇ３に開閉アーム１４ｆの長手方向にスライド可能に支持されたカンヌキ金具１４ｇ４と、抜止め輪部１４ｇ５を有し、カンヌキ金具１４ｇ４は、カンヌキ金具取付け板１４ｇ３にスライド可能に支持される丸棒部１４ｇ４１と、丸棒部１４ｇ４１の先端側に設けられ被掛止部露出孔１４ｇ２から開閉アーム１４ｆ側に露出する被掛止板１４ｇ１の被掛止部１４ｇ１１に掛止する掛止片１４ｇ４２と、丸棒部１４ｇ４１の後端側に設けられ抜止め輪部１４ｇ５が嵌る抜止め輪部用溝部１４ｇ４３とを有する一方、被掛止板１４ｇ１は、カンヌキ金具１４ｇ４の丸棒部１４ｇ４１を通す奥拡部１４ｇ１２と、カンヌキ金具１４ｇ４の丸棒部１４ｇ４１は通さないが、丸棒部１４ｇ４１先端に設けられた掛止片１４ｇ４２のみを通す掛止片通し部１４ｇ１３からなる被掛止部１４ｇ１１を有する。
【００５２】
そのため、実施形態の長尺物昇降装置１によれば、風によって消防ホース３が振れて、消防ホース３が下部アーム１４の開閉アーム１４ｆに何度も当たる等して、下部アーム本体１４ａや開閉アーム１４ｆ等が振動して、開閉アーム１４ｆが開こうとしても、カンヌキ金具１４ｇ４先端の掛止片１４ｇ４２はその自重によって常時下方を向き掛止状態を維持するので、開閉アーム１４ｆが勝手に開くことを確実に防止することができる。
【００５３】
また、実施形態の長尺物昇降装置１は、昇降アーム１７の長手方向の中央に第３フックアイボルト１７ｅが設けられ、ウインチ１５から繰り出されたワイヤーロープ１１はワイヤ受けバンド１３と、第１滑車１２ｆを介して昇降アーム１７の中央に設けた第３フックアイボルト１７ｅに連結されため、第３フックアイボルト１７ｅを昇降アーム１７の先端側の側面に第２フックアイボルト１７ｄと共に設ける必要がなくなる。これにより、昇降アーム１７の長手方向の長さや幅を小さくすることが可能となり、支柱２に対する垂直方向の突出長さも短くなるので、全体としてコンパクトな長尺物昇降装置１を提供することができ、コストを低減することができる。
【００５４】
また、実施形態の長尺物昇降装置１では、ハンガー１７ｂは、昇降アーム１７の長手方向に所定間隔で複数個設けられており、ハンガー１７ｂの長手方向は、昇降アーム１７の長手方向に対し直交しているため、昇降アーム１７の長さが短い場合でも、より多数の消防ホース３を吊下げることが可能となる。そのため、この点でも、支柱２に対する垂直方向の突出長さも短くなるので、全体としてコンパクトな長尺物昇降装置１を提供することができ、コストを低減することができる。
【００５５】
また、実施形態の長尺物昇降装置１は、各ハンガー１７ｂは、消防ホース３を支持するほぼ直線形状の消防ホース支持部１７ｂ１を有すると共に、消防ホース３をその消防ホース支持部１７ｂ１に側方から掛けることができるように開口部１７ｂ２を有するフック形状に形成され、それらの開口部１７ｂ２が昇降アーム１７の長手方向中央に対し点対称となるように設けている。
【００５６】
そのため、昇降アーム１７の複数のハンガー１７ｂには、昇降アーム１７の中央に設けた第３フックアイボルト１７ｅに対し前後で左右逆方向から消防ホース３を吊下げることになるので、昇降アーム１７全体に対しバランス良く複数の消防ホース３を吊下げることが可能となり、濡れて重くなった多数の消防ホース３でもバランス良く吊上げて乾燥させることができる。
【００５７】
また、実施形態の長尺物昇降装置１では、消防ホース３の上部では、昇降アーム１７の長手方向に対し直交する複数のハンガー１７ｂによって消防ホース３を下部アーム１４および昇降アーム１７の長手方向に対し直交するように押潰して吊るす一方、消防ホース３の下部では下部アーム１４の下部アーム本体１４ａと開閉アーム１４ｆとによって消防ホース３を下部アーム１４および昇降アーム１７の長手方向に対し平行になるように挟持する。
【００５８】
そのため、実施形態の長尺物昇降装置１では、昇降アーム１７で吊上げた消防ホース３内に隙間（空間）が出来易くなり、消防ホース３をより効率良く乾燥させることができる。
【００５９】
尚、上記実施形態の説明では、ロック手段１４ｇを被掛止板１４ｇ１や、被掛止部露出孔１４ｇ２、カンヌキ金具取付け板１４ｇ３、カンヌキ金具１４ｇ４および抜止め輪部１４ｇ５で構成して説明したが、本発明では、これに限らず、下部アーム本体１４ａと開閉アーム１４ｆとの閉めた状態をロックできるものであれば、ロックピンや南京錠等を使用したものでも特にこだわらない。
【符号の説明】
【００６０】
１  長尺物昇降装置
１１  ワイヤーロープ
１２  上部アーム
１２ａ  上部アーム本体
１２ｂ，１２ｃ  締付金具
１２ｄ  ボルト
１２ｅ  ナット
１２ｆ  第１滑車
１３  ワイヤ受けバンド
１３ａ，１３ｂ  ワイヤ受けバンド金具
１３ｃ  第１カラー
１３ｄ  第２カラー
１３ｅ  第２滑車
１３ｆ１〜１３ｆ３  ボルト
１３ｇ１〜１３ｇ３  ナット
１４  下部アーム
１４ａ  下部アーム本体
１４ｂ，１４ｃ  締付金具
１４ｄ  ボルト
１４ｅ  ナット
１４ｆ  開閉アーム
１４ｇ  ロック手段
１４ｇ１  被掛止板
１４ｇ１１  被掛止部
１４ｇ１２  奥拡部
１４ｇ１３  掛止片通し部
１４ｇ２  被掛止部露出孔
１４ｇ３  カンヌキ金具取付け板
１４ｇ４  カンヌキ金具
１４ｇ４１  丸棒部
１４ｇ４２  掛止片
１４ｇ４３  抜止め輪部用溝部
１４ｇ５  抜止め輪部
１４ｈ  アイナット
１４ｉ  中継金具
１５  ウインチ
１５ａ  ハンドル
１５ｂ  締付金具
１６  ガイドロープ
１６ａ  ターンバックル
１７  昇降アーム
１７ａ  昇降アーム本体
１７ｂ  ハンガー
１７ｂ１  消防ホース支持部
１７ｂ２  開口部
１７ｃ  第１フックアイボルト
１７ｄ  第２フックアイボルト
１７ｅ  第３フックアイボルト
１８  中間振止めアーム
１８ａ  中間振止めアーム本体
１８ｂ  中間振止めアーム連結板
１８ｃ  締結バンド
２  支柱
３  消防ホース（長尺物）
【図１】
2018187144.tif 000003
【図２】
2018187144.tif 000004
【図３】
2018187144.tif 000005
【図４】
2018187144.tif 000006
【図５】
2018187144.tif 000007
【図６】
2018187144.tif 000008
【図７】
2018187144.tif 000009
【図８】
2018187144.tif 000010
【図９】
2018187144.tif 000011
【図１０】
2018187144.tif 000012
【図１１】
2018187144.tif 000013
【図１２】
2018187144.tif 000014
【図１３】
2018187144.tif 000015
【図１４】
2018187144.tif 000016
【図１５】
2018187144.tif 000017
【図１６】
2018187144.tif 000018
【図１７】
2018187144.tif 000019
【図１８】
2018187144.tif 000020
【図１９】
2018187144.tif 000021